(57)【特許請求の範囲】
【請求項１】
広告提供者が広告対象者を絞った広告を行う写真の属性情報を用いた広告表示システムであって、
ネットワークを介して、写真印刷依頼主からの複数の写真データを写真管理センター端末に送信する機能を有する写真注文端末と、
前記写真管理センター端末から送信されてきた複数の前記写真データを解析して、前記写真印刷依頼主に関する属性情報を抽出し、抽出した該属性情報を前記写真管理センター端末に返す情報解析センター端末と、
前記写真管理センター端末から送信されてきた前記属性情報を基に、予め保存されている広告情報の中から、前記属性情報に最も適合した広告情報を検索し、取得した該広告情報を前記写真管理センター端末に返す広告管理センター端末と、
前記写真管理センター端末から受信した前記写真データに応じた写真を印刷するとともに、該写真に前記広告情報を印刷する印刷機と、
前記写真注文端末と、前記情報解析センター端末と、前記広告管理センター端末と、前記印刷機とに通信接続されて、写真管理センターの役割を担う前記写真管理センター端末とを備え、
前記情報解析センター端末は、前記写真管理センター端末から受信した前記複数の写真データを写真ごとに解析して、複数の写真に同じ人物が写っているときは、当該人物を前記写真印刷依頼主と判断して特定すると共に、特定した該写真印刷依頼主の服装から該写真印刷依頼主の色の好みを特定して前記属性情報とする機能を有していることを特徴とする写真の属性情報を用いた広告表示システム。
【請求項２】
広告提供者が広告対象者を絞った広告を行う写真の属性情報を用いた広告表示システムであって、
ネットワークを介して、写真印刷依頼主からの複数の写真データを写真管理センター端末に送信する機能を有する写真注文端末と、
前記写真管理センター端末から送信されてきた複数の前記写真データを解析して、前記写真印刷依頼主に関する属性情報を抽出し、抽出した該属性情報を前記写真管理センター端末に返す情報解析センター端末と、
前記写真管理センター端末から送信されてきた前記属性情報を基に、予め保存されている広告情報の中から、前記属性情報に最も適合した広告情報を検索し、取得した該広告情報を前記写真管理センター端末に返す広告管理センター端末と、
前記写真管理センター端末から受信した前記写真データに応じた写真を印刷するとともに、該写真に前記広告情報を印刷する印刷機と、
前記写真注文端末と、前記情報解析センター端末と、前記広告管理センター端末と、前記印刷機とに通信接続されて、写真管理センターの役割を担う前記写真管理センター端末とを備え、
前記情報解析センター端末は、前記写真管理センター端末から受信した前記複数の写真データを写真ごとに解析して、複数の写真に同じ人物が写っているときは、当該人物を前記写真印刷依頼主と判断して特定すると共に、特定した該写真印刷依頼主の服装から該写真印刷依頼主の服装の好みを特定して前記属性情報とする機能を有していることを特徴とする写真の属性情報を用いた広告表示システム。
【請求項３】
広告提供者が広告対象者を絞った広告を行う写真の属性情報を用いた広告表示方法であって、
写真注文端末が、ネットワークを介して、写真印刷依頼主からの複数の写真データを写真管理センター端末に送信するステップと、
前記写真管理センター端末が、前記写真注文端末から前記写真データを受信すると、該写真データを情報解析センター端末に送信するステップと、
前記情報解析センター端末が、前記写真管理センター端末から送信されてきた複数の前記写真データを解析して、前記写真印刷依頼主に関する属性情報を抽出し、抽出した該属性情報を前記写真管理センター端末に返すステップと、
前記写真管理センター端末が、前記情報解析センター端末から前記属性情報を取得すると、該属性情報を広告管理センター端末に送信するステップと、
前記広告管理センター端末が、前記写真管理センター端末から送信されてきた前記属性情報を基に、予め保存されている広告情報の中から、前記属性情報に最も適合した広告情報を検索し、取得した該広告情報を前記写真管理センター端末に送信するステップと、
前記写真管理センター端末が、前記広告管理センター端末から取得した前記広告情報を取得すると、該広告情報を印刷機に送信するステップと、
前記印刷機が、前記写真管理センター端末から受信した前記写真データに応じた写真を印刷するとともに、該写真に前記広告情報を印刷するステップとを備え、
前記情報解析センター端末は、前記属性情報を抽出する際には、前記写真管理センター端末から受信した前記複数の写真データを写真ごとに解析して、複数の写真に同じ人物が写っているときは、当該人物を前記写真印刷依頼主と判断して特定すると共に、特定した該写真印刷依頼主の服装から該写真印刷依頼主の色の好みを特定して前記属性情報とすることを特徴とする写真の属性情報を用いた広告表示方法。
【請求項４】
広告提供者が広告対象者を絞った広告を行う写真の属性情報を用いた広告表示方法であって、
写真注文端末が、ネットワークを介して、写真印刷依頼主からの複数の写真データを写真管理センター端末に送信するステップと、
前記写真管理センター端末が、前記写真注文端末から前記写真データを受信すると、該写真データを情報解析センター端末に送信するステップと、
前記情報解析センター端末が、前記写真管理センター端末から送信されてきた複数の前記写真データを解析して、前記写真印刷依頼主に関する属性情報を抽出し、抽出した該属性情報を前記写真管理センター端末に返すステップと、
前記写真管理センター端末が、前記情報解析センター端末から前記属性情報を取得すると、該属性情報を広告管理センター端末に送信するステップと、
前記広告管理センター端末が、前記写真管理センター端末から送信されてきた前記属性情報を基に、予め保存されている広告情報の中から、前記属性情報に最も適合した広告情報を検索し、取得した該広告情報を前記写真管理センター端末に送信するステップと、
前記写真管理センター端末が、前記広告管理センター端末から取得した前記広告情報を取得すると、該広告情報を印刷機に送信するステップと、
前記印刷機が、前記写真管理センター端末から受信した前記写真データに応じた写真を印刷するとともに、該写真に前記広告情報を印刷するステップとを備え、
前記情報解析センター端末は、前記属性情報を抽出する際には、前記写真管理センター端末から受信した前記複数の写真データを写真ごとに解析して、複数の写真に同じ人物が写っているときは、当該人物を前記写真印刷依頼主と判断して特定すると共に、特定した該写真印刷依頼主の服装から該写真印刷依頼主の服装の好みを特定して前記属性情報とすることを特徴とする写真の属性情報を用いた広告表示方法。
【発明の詳細な説明】
【技術分野】
【０００１】
この発明は、写真の属性情報を用いた広告表示システム及びこのシステムを用いた広告表示方法に係り、詳しくは、写真印刷（プリント）依頼主（以下、単に依頼主とも称する）から属性情報を得ることなく、広告対象者を絞った広告を行う写真の属性情報を用いた広告表示システム及びこのシステムを用いた広告表示方法に関する。
【背景技術】
【０００２】
商業などの分野において、屋外広告や新聞、雑誌、電波などの各種の公共の媒体を介した広告が一般に行われているが、効率の良い広告を行うためには、広告提供者は予め広告対象者の属性（年齢、性別、嗜好など）を把握して、これらの属性に合致した者に対象を絞ることが必要である。
【０００３】
しかしながら、最近では個人情報の保護の観点から、属性情報を得るのが容易ではなく、得られたとしても数は制約されるので、広告提供者は必然的に広告対象者を不特定多数に広げた広告を行わざるを得なくなっている。このため、広告提供者は期待する属性を有する者に対象者を絞った広告を行うのが困難になっているので、効率の悪い広告にならざるを得ない。
【０００４】
また、最近ではデジタルカメラの普及により，ユーザは失敗を気にすることなく簡単に写真の撮影を行うことができるようになっており、従来のフィルムを用いたカメラにとって代わっている。このような観点から、ネットワークを利用してプリント単価を下げるようにした構成のデジタル写真システムが提供されている（特許文献１）。このデジタル写真システムでは、写真の下部に広告を表示させた広告付き写真を印刷することにより、広告料でユーザの負担を軽減させることが図られている。同様にして、写真プリントの特性を利用した、広告付き写真プリント作成システムが提供されている（特許文献２）。また、写真画像情報を用いた写真プリントの受注に応じて発注者に対して提供する広告を印刷する広告印刷装置が提供されている（特許文献３）。
【特許文献１】特開２００４−２４８３２７号公報
【特許文献２】特開２００２−０５７９６８号公報
【特許文献３】特開２００７−０８６５４６号公報
【発明の開示】
【発明が解決しようとする課題】
【０００５】
ところで、特許文献１〜３に開示されている従来の写真プリント作成技術では、いずれも広告と組合わせた写真を印刷しているが、写真に印刷された広告は必ずしも依頼人が興味を引く内容のものとは限らないので、結果的に効率の悪い広告を行っていることが多い、という問題がある。
【０００６】
この発明は、上述の事情に鑑みてなされたもので、広告対象者から属性情報を得ることなく効率の良い広告を行うことができるようにした写真の属性情報を用いた広告表示システム及び広告表示方法を提供することを目的としている。
【課題を解決するための手段】
【０００７】
上記課題を解決するために、この発明の第１の構成は、広告提供者が広告対象者を絞った広告を行う写真の属性情報を用いた広告表示システムに係り、ネットワークを介して、写真印刷依頼主からの複数の写真データを写真管理センター端末に送信する機能を有する写真注文端末と、前記写真管理センター端末から送信されてきた複数の前記写真データを解析して、前記写真印刷依頼主に関する属性情報を抽出し、抽出した該属性情報を前記写真管理センター端末に返す情報解析センター端末と、前記写真管理センター端末から送信されてきた前記属性情報を基に、予め保存されている広告情報の中から、前記属性情報に最も適合した広告情報を検索し、取得した該広告情報を前記写真管理センター端末に返す広告管理センター端末と、前記写真管理センター端末から受信した前記写真データに応じた写真を印刷するとともに、該写真に前記広告情報を印刷する印刷機と、前記写真注文端末と、前記情報解析センター端末と、前記広告管理センター端末と、前記印刷機とに通信接続されて、写真管理センターの役割を担う前記写真管理センター端末とを備え、前記情報解析センター端末は、前記写真管理センター端末から受信した前記複数の写真データを写真ごとに解析して、複数の写真に同じ人物が写っているときは、当該人物を前記写真印刷依頼主と判断して特定すると共に、特定した該写真印刷依頼主の服装から該写真印刷依頼主の服装の好みや色の好みを特定して前記属性情報とする機能を有していることを特徴としている。
【０００８】
この発明の第２の構成は、広告提供者が広告対象者を絞った広告を行う写真の属性情報を用いた広告表示方法に係り、写真注文端末が、ネットワークを介して、写真印刷依頼主からの複数の写真データを写真管理センター端末に送信するステップと、前記写真管理センター端末が、前記写真注文端末から前記写真データを受信すると、該写真データを情報解析センター端末に送信するステップと、前記情報解析センター端末が、前記写真管理センター端末から送信されてきた複数の前記写真データを解析して、前記写真印刷依頼主に関する属性情報を抽出し、抽出した該属性情報を前記写真管理センター端末に返すステップと、前記写真管理センター端末が、前記情報解析センター端末から前記属性情報を取得すると、該属性情報を広告管理センター端末に送信するステップと、前記広告管理センター端末が、前記写真管理センター端末から送信されてきた前記属性情報を基に、予め保存されている広告情報の中から、前記属性情報に最も適合した広告情報を検索し、取得した該広告情報を前記写真管理センター端末に送信するステップと、前記写真管理センター端末が、前記広告管理センター端末から取得した前記広告情報を取得すると、該広告情報を印刷機に送信するステップと、前記印刷機が、前記写真管理センター端末から受信した前記写真データに応じた写真を印刷するとともに、該写真に前記広告情報を印刷するステップとを備え、前記情報解析センター端末は、前記属性情報を抽出する際には、前記写真管理センター端末から受信した前記複数の写真データを写真ごとに解析して、複数の写真に同じ人物が写っているときは、当該人物を前記写真印刷依頼主と判断して特定すると共に、特定した該写真印刷依頼主の服装から該写真印刷依頼主の服装の好みや色の好みを特定して前記属性情報とすることを特徴としている。
【発明の効果】
【０００９】
このように、この発明の構成によれば、写真の属性情報を用いた広告表示システムを用いることにより、依頼主が写真注文端末から写真の印刷依頼を行うために複数の写真データを、ネットワークを介して写真管理センター端末に送信すると、写真データはその端末に保存された後に、情報解析センター端末に送信される。そして、写真データはこの端末で写真ごとに解析されて依頼主が特定された後、依頼主の属性情報が抽出される。すなわち、依頼主からは何ら属性情報の提供を受けることなく、システムによる写真の解析によって自動的に依頼主の属性情報を得ることができる。続いて、属性情報は写真データとともに写真管理センター端末に保存された後，広告管理センター端末に送信されて属性情報に最も適合した広告情報が検索されて、写真管理センター端末に送信される。その広告情報は、解析されて抽出された属性情報に適合したものが検索されるので、依頼主に十分に興味を持たせるような内容のものが選ばれる。次に、写真管理センター端末は広告情報を保存した後、写真データに伴って印刷機に送信し、印刷機は写真データを基に写真の印刷を行うとともに、写真に広告情報に基づいた広告を印刷する。したがって、依頼主から属性情報を得ることなく広告対象者を絞った広告を行うことが可能なので、効率の良い広告を行うことができる。
【発明を実施するための最良の形態】
【００１０】
写真の属性情報を用いた広告表示システム１を用いた広告表示方法は、依頼主が写真注文端末１０から写真の印刷依頼を行うために複数の写真データを位置情報とともに、ネットワーク７０を介して写真管理センター端末３０に送信すると、写真データはＩＤとパスワードが生成されてその端末３０に保存された後に、情報解析センター端末５０に送信される。そして、写真データはこの端末５０で写真ごとに解析されて依頼主が特定された後、依頼主の属性情報が抽出される。すなわち、依頼主からは何ら属性情報の提供を受けることなく、システム１による写真の解析によって自動的に依頼主の属性情報を得ることができる。続いて、属性情報は写真データとともに写真管理センター端末３０に保存された後，広告管理センター端末２０に送信されて属性情報に最も適合した広告情報が検索されて、写真管理センター端末３０に送信される。その広告情報は、解析されて抽出された属性情報に適合したものが検索されるので、依頼主に十分に興味を持たせるような内容のものが選ばれる。次に、端末３０は広告情報を保存した後、依頼主のＩＤとパスワードとともに写真データを印刷機４０に送信し、印刷機４０は写真データと基に写真の印刷を行うとともに、写真に広告情報に基づいた広告を印刷する。
【実施形態１】
【００１１】
図１は、この発明の実施形態１である写真の属性情報を用いた広告表示システムの概略構成を示すブロックである。
この実施形態１である写真の属性情報を用いた広告表示システム１は、同図に示すように、写真注文端末１０と、広告管理センター端末２０と、写真管理センター端末３０と、印刷機４０と、情報解析センター端末５０と、注文受付端末６０と、ネットワーク７０とを備えている。
【００１２】
写真注文端末１０は、パーソナルコンピュータなどの情報処理装置から構成されて、写真情報を表示するディスプレイ、写真情報を入力するキーボード、写真データの読み取り及び保存するためのフラッシュメモリ、コンパクトディスクなどの記録媒体を有し、読み取った複数の写真データ及びこの端末１０の位置情報を、インターネットなどのネットワーク７０を介して後述の写真管理センター端末３０に送信する機能を有する。
【００１３】
広告管理センター端末２０は、ワークステーション・サーバなどの情報処理装置から構成されて、予め多くの広告情報を保存し、後述の情報解析センター端末５０及び写真管理センター端末３０からネットワーク７０を介して送信されてきた属性情報を基に、この属性情報に最も適した広告情報を検索して、ネットワーク７０を介して写真管理センター端末３０に送信する機能を有する。
【００１４】
写真管理センター端末３０は、ワークステーション・サーバなどの情報処理装置から構成されて、ネットワーク７０を介して写真注文端末１０から送信されてきた写真データ及び位置情報を受信して保存し、また、ネットワーク７０を介して広告管理センター端末２０から送信されてきた検索された広告情報を受信して、写真データに広告を表示する（組み込む）機能を有する。さらに、この写真管理センター端末３０は、受信した写真データを後から参照を可能とするためのＩＤとパスワードを生成して保存し、また、写真注文端末１０から印刷要求があった場合には、ネットワーク７０を介して印刷機４０に、ＩＤとパスワードとともに写真データを送信して印刷要求する機能を有する。また、写真管理センター端末３０は、受信した複数の写真データを写真の解析を行うため、ネットワーク７０を介して情報解析センター端末５０に送信し、また情報解析センター端末５０から解析された属性情報を受信し、写真データとともに保存する機能を有する。
【００１５】
印刷機４０は、カラー印刷機から構成されて、写真注文端末１０からの印刷要求に基づいて、インターネット７０を介して写真管理センター端末３０から写真データを受信したときは、この写真データに応じた写真印刷を行う機能を有している。また、印刷機４０は、写真印刷の終了後に広告を印刷し、また、写真を再度印刷するために受信したＩＤとパスワードを写真に印刷する機能を有している。
【００１６】
情報解析センター端末５０は、写真管理センター端末３０から受信した複数の写真データを写真ごとに解析して、複数の写真に同じ人物が写っている場合は、その人物を依頼主と判断して特定し、また、これとともに依頼主の服装から色の好みや服装の好みを特定して属性情報とする機能を有している。
【００１７】
注文受付端末６０は、インターネット向け通信販売用サーバから構成されて、洋服の商品情報を提供、販売し、またＩＤが入力された場合は、ＩＤ情報が正しいかどうかを判断して、正しい場合には値引きを行う機能を有している。
【００１８】
ネットワーク７０は、インターネットから構成されて、写真注文端末１０と、広告管理センター端末２０と、写真管理センター端末３０と、印刷機４０と、情報解析センター端末５０と、注文受付端末６０との相互間を接続して、相互に情報のやり取りを行う機能を有している。
【００１９】
このように、本実施形態１の写真の属性情報を用いた広告表示システム１によれば、写真注文端末１０と、広告管理センター端末２０と、写真管理センター端末３０と、印刷機４０と、情報解析センター端末５０と、注文受付端末６０と、ネットワーク７０とを備え
えているので、この広告表示システム１を用いて広告表示を行えば、広告対象者から属性情報を得ることなく効率の良い広告を行うことができるようになる。
【実施形態２】
【００２０】
図２は、この発明の実施形態２である写真の属性情報を用いた広告表示方法の動作を説明するフローチャートである。以下、同図を参照して、その動作について説明する。
まず、写真の印刷（プリント）依頼を行う写真印刷依頼主（以下、単に依頼主と称する）は、写真注文端末１０を使用して、携帯電話やデジタルカメラで撮影した複数の写真データを位置情報とともに、ネットワーク７０を介して写真管理センター端末３０に送信する（ステップＳ１）。
【００２１】
写真管理センター端末３０は、その写真データ及び位置情報を受信すると、写真データを後から参照を可能とするためのＩＤとパスワードを生成して保存する（ステップＳ２）。次に、写真管理センター端末３０は、写真データをネットワーク７０を介して情報解析センター端末５０に送信する（ステップＳ３）。
【００２２】
情報解析センター端末５０は、受信した複数の写真データを写真ごとに解析して、複数の写真に同じ人物が写っている場合は、その人物を依頼主と判断して特定する。また、情報解析センター端末５０は、依頼主の服装から色の好みや服装の好みを特定し、これを属性情報として抽出する。ここで、全ての写真で風景しか写っていない場合には、ステップＳ１で得た位置情報を属性情報として利用する（ステップＳ４）。次に、情報解析センター５０は、解析した属性情報をネットワーク７０を介して写真管理センター端末３０に送信する（ステップＳ５）。
【００２３】
写真管理センター端末３０は、写真データとともに属性情報を保存する（ステップＳ６）。次に、写真管理センター端末３０は、属性情報をネットワーク７０を介して広告管理センター端末２０に送信する（ステップＳ７）。
【００２４】
広告管理センター端末２０は、受信したその属性情報を基に、この属性情報に最も適合した広告情報を複数の写真ごとに検索して、ネットワーク７０を介して写真管理センター端末３０に送信する。位置情報の場合は、位置情報に合った企業広告が送信される。（ステップＳ８）。
【００２５】
写真管理センター端末３０は、どの広告情報が選択されたか保存し、その後、ステップＳ２で生成されたＩＤとパスワードとともに写真データを、ネットワーク７０を介して印刷機４０に送信する(ステップＳ９)。
【００２６】
印刷機４０は、受信した写真データを基に写真の印刷を行うとともに、写真印刷の終了後に広告を印刷する（ステップＳ１０）。最後に、印刷機４０は、写真を再度印刷するために受信したＩＤとパスワードを写真に印刷する（ステップＳ１１）。以上のステップにより、依頼主から注文された写真の印刷が終了する。
【００２７】
このように、本実施形態２の写真の属性情報を用いた広告表示方法によれば、本実施形態１における写真の属性情報を用いた広告表示システム１を用いることにより、依頼主が写真注文端末１０から写真の印刷依頼を行うために複数の写真データを位置情報とともに、ネットワーク７０を介して写真管理センター端末３０に送信すると、写真データはＩＤとパスワードが生成されてその端末３０に保存された後に、情報解析センター端末５０に送信される。そして、写真データはこの端末５０で写真ごとに解析されて依頼主が特定された後、依頼主の属性情報が抽出される。すなわち、依頼主からは何ら属性情報の提供を受けることなく、システム１による写真の解析によって自動的に依頼主の属性情報を得ることができる。続いて、属性情報は写真データとともに写真管理センター端末３０に保存された後，広告管理センター端末２０に送信されて属性情報に最も適合した広告情報が検索されて、写真管理センター端末３０に送信される。その広告情報は、解析されて抽出された属性情報に適合したものが検索されるので、依頼主に十分に興味を持たせるような内容のものが選ばれる。次に、端末３０は広告情報を保存した後、依頼主のＩＤとパスワードとともに写真データを印刷機４０に送信し、印刷機４０は写真データと基に写真の印刷を行うとともに、写真に広告情報に基づいた広告を印刷する。
したがって、依頼主から属性情報を得ることなく広告対象者を絞った広告を行うことが可能なので、効率の良い広告を行うことができる。
【実施形態３】
【００２８】
図３は、この明の実施形態３である写真の属性情報を用いた広告表示方法の動作を説明するフローチャートである。この実施形態３の写真の属性情報を用いた広告表示方法の構成が、上述の実施形態２のそれと大きく異なるところは、依頼主がＩＤ及びパスワードを用いて再度の写真の印刷依頼を行うようにした点である。以下、同図を参照して、その動作について説明する。
まず、再度の写真印刷依頼を行う依頼主は、写真注文端末１０を使用して、実施形態２のステップＳ１１で予め印刷したＩＤとパスワードとともに位置情報を、ネットワーク７０を介して写真管理センター端末３０に送信する（ステップＳ２１）。
【００２９】
写真管理センター端末３０は、受信したＩＤに対するパスワードが正しいか否かの認証を行う（ステップＳ２２）。認証が成功した（正しい）場合、写真管理センター端末３０は、ＩＤ情報を基に、ステップＳ７で保存されている写真データ及び属性情報を検索する（ステップＳ２３）。次に、写真管理センター端末３０は、検索した属性情報をネットワーク７０を介して広告管理センター端末２０に送信する（ステップＳ２４）。
【００３０】
広告管理センター端末２０は、受信した属性情報を基に、この属性情報に適合した最新の広告情報を複数の写真ごとに検索する（ステップＳ２５）。次に、広告管理センター端末２０は、検索した属性情報に適合した複数の写真ごとの最新の広告情報をネットワーク７０を介して写真管理センター端末３０に送信する（ステップＳ２６）。
【００３１】
写真管理センター端末３０は、受信した広告情報を写真データの最後の写真情報として付与する（ステップＳ２７）。次に、写真管理センター端末３０は、広告情報が付与された写真データをネットワーク７０を介して印刷機４０に送信する（ステップＳ２８）。印刷機４０は、受信した写真データを基に、写真とともに広告を印刷する（ステップＳ２９）。以上のステップにより、依頼主から再度依頼された写真の印刷が終了する。
【００３２】
このように、本実施形態３の写真の属性情報を用いた広告表示方法によれば、再度の写真印刷依頼を行う場合は、依頼主は写真注文端末１０からＩＤとパスワードとともに位置情報を、ネットワーク７０を介して写真管理センター端末３０に送信すると、この端末３０によりＩＤ及びパスワードの認証が行われた後に、ＩＤ情報を基に写真データ及び属性情報が検索される。次に、検索された属性情報は広告管理センター端末２０に送信され、この端末２０でその属性情報に適合した最新の広告情報が検索されて、写真管理センター端末３０に送信される。すなわち、依頼主の属性情報は既に保存されているので、初めての依頼時に比べて最新の広告情報が提供されることになり、依頼主が広告情報に寄せる興味を高めさせることができるので、より広告対象者を絞り込んだ広告を行うことが可能になる。続いて、端末３０は広告情報が付与された写真データを印刷機４０に送信し、印刷機４０は受信した写真データを基に、写真とともに広告を印刷する。
したがって、実施形態２と略同様な効果を得ることができ、加えて依頼主が再度の写真の印刷依頼を行うときの操作を簡略化できる。
【実施形態４】
【００３３】
図４は、この明の実施形態４である写真の属性情報を用いた広告表示方法の動作を説明するフローチャートである。この実施形態４の写真の属性情報を用いた広告表示方法の構成が、上述の実施形態３のそれとき大きく異なるところは、依頼主のＩＤを用いて買物をする場合の広告効果を向上させるようにした点である。以下、同図を参照して、その動作について説明する。
まず、ＩＤが付与された依頼主は、注文受付端末６０を使用して、広告が表示された洋服を購入できるインターネット上の通信販売サイトであるホームページを表示する（ステップＳ３１）。次に、依頼主はホームページ上で洋服を選択し、決済ページへ移動し、購入する際にＩＤを入力して決済ボタンを押す（ステップＳ３２）。
【００３４】
これによって、依頼主に対して決済ページ上で購入価格を割引く決済が行われる（ステップＳ３３）。次に、ＩＤと購入した洋服の情報が、ネットワーク７０を介して写真管理センター端末３０へ送信される（ステップＳ３４）。
【００３５】
写真管理センター端末３０は、受信したＩＤからどの広告を印刷したかを検索する（ステップＳ３５）。次に、写真管理センター端末３０は、ネットワーク７０を介して広告管理センター端末２０に、購入した洋服と広告の情報を送信する（ステップＳ３６）。
【００３６】
この結果、広告管理センター端末２０は、依頼主が購入した洋服の色や種類と、広告に表示した洋服との比較を行って、両者間に差がある場合には補正を行う（ステップＳ３７）。
【００３７】
このように、本実施形態４の写真の属性情報を用いた広告表示方法によれば、ＩＤが付与された依頼主が通信販売サイトであるホームページ上で洋服などの買物をする場合、ＩＤを入力して決済することにより購入価格が割り引かれる決済が行われた後、ＩＤと購入品の情報がネットワークを介して写真管理センター端末３０に送信される。そして、この端末３０はＩＤからどの広告が印刷したかを検索して、この情報を広告管理センター端末２０に送信する。続いて、端末２０は購入品の内容と広告の内容を比較して、両者間に差がある場合にはいずれかの内容の補正を行う。
したがって、ＩＤが付与された依頼主がンターネット上の通信販売サイトでの買物時に、購入品と広告の内容に差がある場合には補正が行われるので、広告効果を向上させることができるようになる。
【００３８】
以上、この発明の実施形態を図面により詳述してきたが、具体的な構成はこの実施形態に限られるものではなく、この発明の要旨を逸脱しない範囲の設計の変更等があってもこの発明に含まれる。例えば、依頼主の服装について解析された結果に基づいて、広告候補の中で依頼主の嗜好と合致したと推測される服装と、写真に写された際の服装を置き換えた写真を追加して印刷することもできる。また、印刷された写真だけでなくＷｅｂ等のパーソナルコンピュータ上で表示させる写真データにも適用可能である。また、写真だけでなく動画情報に広告を入れる方法にも適用可能である。
【図面の簡単な説明】
【００３９】
【図１】この発明の実施形態１である写真の属性情報を用いた広告表示システムの概略構成を示すブロックである。
【図２】この発明の実施形態２である写真の属性情報を用いた広告表示方法の動作を説明するフローチャートである。
【図３】この発明の実施形態３である写真の属性情報を用いた広告表示方法の動作を説明するフローチャートである。
【図４】この発明の実施形態４である写真の属性情報を用いた広告表示方法の動作を説明するフローチャートである。
【符号の説明】
【００４０】
１      写真の属性情報を用いた広告表示システム
１０      写真注文端末
２０      広告管理センター端末
３０      写真管理センター端末
４０      印刷機
５０      情報解析センター端末
６０      注文受付端末
７０      ネットワーク
【図１】
0005233328.tif 000002
【図２】
0005233328.tif 000003
【図３】
0005233328.tif 000004
【図４】
0005233328.tif 000005